(57)【特許請求の範囲】
【請求項１】
ＶＴＲデッキ部、撮影レンズ部、及びファインダ等が外装ケース内に配置されたカメラ一体型ＶＴＲに於いて、
前記外装ケースを偏平な略直方体形状に形成し、前記ＶＴＲデッキ部を外装ケースの撮影前面に対してビデオカセットの面が平行になるように配置し、前記撮影レンズ部を前記ＶＴＲデッキ部の上部に配置すると共に外装ケースの肉厚の薄い方向に対して撮影光軸が平行になるように配置し、
前記ファインダは、対物レンズが前記撮影レンズ部の近傍に配置された実像ファインダであり、該実像ファインダのファインダ枠は略Ｌ字状に形成され、該ファインダ枠と前記外装ケースとの間に形成されたスペースにマイクを配置し、
前記撮影レンズ、ファインダ、及びマイクは外装ケースの横方向に並設されていることを特徴とするカメラ一体型ＶＴＲ。
【請求項２】
撮影画像を映し出す液晶モニタが前記撮影レンズ部の側方の前記外装ケースの上面に開閉可能に取り付けられ、該液晶モニタは閉成されると、撮影レンズ部の上面、外装ケースの前面、外装ケースの側面、及び外装ケースの背面と面一となる大きさに形成され、前記液晶モニタが閉成される前記外装ケースの上面には、カメラ一体型ＶＴＲの操作ボタンが配置されていることを特徴とする請求項１記載のカメラ一体型ＶＴＲ。
【発明の詳細な説明】
【０００１】
【産業上の利用分野】
本発明はカメラ一体型ＶＴＲに係り、特に光学式ファインダとファインダとして使用可能な液晶モニタとを備えたカメラ一体型ＶＴＲに関する。
【０００２】
【従来の技術】
近年では、光学式ファインダの他に液晶モニタを備え、この液晶モニタで被写体像を映し出すことにより液晶モニタの画像を見ながら撮影を行うようにしたカメラ一体型ＶＴＲが普及している。
このようなカメラ一体型ＶＴＲの殆どは、外装ケースが偏平な直方体形状に形成されており、例えば外装ケースを起立させた姿勢で撮影するものは、液晶モニタを外装ケースの背面側に装着しており、また、外装ケースを寝かせた姿勢で撮影するものは、不使用時に液晶モニタを外装ケースの表面凹部に収納し、使用時にヒンジによって外装ケースから起立させるようにしている。また、後者のカメラ一体型ＶＴＲは、外装ケースを両手で支えて撮影するものであり、また、ＶＴＲデッキ部が液晶モニタの収納部の下方に配置されているため、ビデオカセットの着脱時には液晶モニタをその都度起立させるようにしている。
【０００３】
【発明が解決しようとする課題】
しかしながら、液晶モニタを外装ケースの背面側に装着したカメラ一体型ＶＴＲでは、液晶モニタが外装ケースから出っ張ってしまうので、カメラ一体型ＶＴＲが持ち難くなり、操作性が低下するという欠点がある。
また、このタイプのカメラ一体型ＶＴＲでは、液晶モニタの画面が常に外装ケースから露出しているため、不使用時に液晶モニタの画面を保護するカバーが必要になるという欠点がある。
【０００４】
更に、前記カメラ一体型ＶＴＲでは、液晶モニタの装備により増大した各種操作ボタンが外装ケースから露出しているため、撮影中に不用意にボタンに触れてしまい誤操作をまねくという欠点がある。
一方、不使用時に液晶モニタを外装ケースの表面凹部に収納したカメラ一体型ＶＴＲでは、前述したように外装ケースを両手で支えなければならず、またビデオカセットの着脱時に液晶モニタをその都度起立させなければならないので、手間がかかるという欠点がある。
【０００５】
本発明はこのような事情に鑑みてなされたもので、液晶モニタを外装ケースから出っ張らずに配置することができ、且つビデオカセットを容易に着脱することができるカメラ一体型ＶＴＲを提供することを目的とする。
【０００６】
【課題を解決するための手段】
本発明は、前記目的を達成するために、ＶＴＲデッキ部、撮影レンズ部、及びファインダ等が外装ケース内に配置されたカメラ一体型ＶＴＲに於いて、
前記外装ケースを偏平な略直方体形状に形成し、前記ＶＴＲデッキ部を外装ケースの撮影前面に対してビデオカセットの面が平行になるように配置し、前記撮影レンズ部を前記ＶＴＲデッキ部の上部に配置すると共に外装ケースの肉厚の薄い方向に対して撮影光軸が平行になるように配置し、前記ファインダは、対物レンズが前記撮影レンズ部の近傍に配置された実像ファインダであり、該実像ファインダのファインダ枠は略Ｌ字状に形成され、該ファインダ枠と前記外装ケースとの間に形成されたスペースにマイクを配置し、前記撮影レンズ、ファインダ、及びマイクは外装ケースの横方向に並設されていることを特徴とする。
【０００７】
【作用】
請求項１記載の発明は、偏平な略直方体形状の外装ケースの撮影前面にＶＴＲデッキ部を配置して、ビデオカセットを外装ケースの撮影前面から取り出すようにし、そして、撮影レンズ部をＶＴＲデッキ部の上部で外装ケースの肉厚の薄い方向に撮影光軸が平行になるように配置して外装ケースを起立させた姿勢で使用するタイプとし、そして、液晶モニタを撮影レンズ部の側方の外装ケースの上面に開閉可能に取り付け、液晶モニタを閉成した際に液晶モニタが、撮影レンズ部の上面、外装ケースの前面、外装ケースの側面、及び外装ケースの背面と面一となるようにしている。
【０００８】
これにより、本発明では、液晶モニタが外装ケースから出っ張らず、また、液晶モニタの開放とビデオカセットの着脱を各々単独で行うことが可能となる。
請求項２記載の発明は、液晶モニタが閉成される外装ケースの上面に、カメラ一体型ＶＴＲの操作ボタンを配置して、撮影時に於ける前記操作ボタンの誤操作を防止したものである。
【０００９】
請求項１記載の発明は、ファインダを実像ファインダとし、この実像ファインダの対物レンズを撮影レンズ部の近傍に配置してパララックスを小さくすると共に、実像ファインダのファインダ枠を略Ｌ字状にして、このファインダ枠と外装ケースとの間に形成されたスペースにマイクを配置することにより、マイク専用の配置スペースを削減して外装ケースの小型化を図ったものである。
【００１０】
【実施例】
以下添付図面に従って本発明に係るカメラ一体型ＶＴＲの好ましい実施例を詳説する。
図１は本発明の実施例に係るカメラ一体型ＶＴＲを前面側から見た斜視図で、図２は前記カメラ一体型ＶＴＲを背面側から見た斜視図であり、それぞれ液晶モニタが開放されている状態を示し、また、図３は液晶モニタを閉じた状態を背面側から見た斜視図である。
【００１１】
前記カメラ一体型ＶＴＲの外装ケース１は、カメラ前後方向（図１上の矢印ＡＢ方向）に薄い偏平な略直方体の外観形状を有している。図１に示すように、撮影レンズ１０、光学式ファインダ１２及びステレオマイク１４は外装ケース１の上部に併設されている。また、外装ケース１の頂部には液晶モニタ１６が開閉自在に配設されている。更に、ＶＴＲデッキ部１８がステレオマイク１４の下方に設けられ、ＶＴＲデッキ部１８の図１中左側方にはサイドグリップ部２０、そして、サイドグリップ部２０の上隅部には撮影ボタン２２が設けられている。
【００１２】
撮影レンズ１０は、例えば焦点距離3.3 ｍｍ〜３３ｍｍの１０倍ズーム用のズームレンズであり、ズームボタン２４（図２参照）の操作により電動で焦点距離が連続的に可変される。
光学式ファインダ１２は、例えば焦点距離４ｍｍ〜１２ｍｍの３倍ズーム用の実像ファインダであり、少なくとも焦点距離が調整できる範囲内では、撮影範囲と視野範囲が一致するように撮影レンズ１０の焦点距離の変更に応じてその焦点距離が調整される。
【００１３】
ＶＴＲデッキ部１８は、図示しない回転ヘッドドラム、テープローディング機構、テープ給送機構等を含み、前記撮影レンズ１０によって撮影した被写体を示すビデオ信号やステレオマイク１４によって検出したオーディオ信号を８ミリカセットのビデオテープに磁気記録再生する。符号２６はカセットの挿入及び取出時に開閉されるカセット蓋であり、８ミリカセットは外装ケース１の撮影前面に対して平行に収納される。
【００１４】
サイドグリップ部２０は右手で把持できる形状に形成されており、外装ケース１の前面には指掛かり部３０が形成され、外装ケース１の背面には図２に示すように親指及び親指の付け根部分が位置する凹部３２が形成されている。撮影ボタン２２は外装ケース１の前面に配設され、前記サイドグリップ部２０を把持した右手の人指し指によって操作される。また、ズームボタン２４は右手の親指によって操作できる位置に配設されている。これにより、本実施例のカメラ一体型ＶＴＲは、右手で外装ケース１を起立させた姿勢で使用するタイプである。
【００１５】
一方、図２に示すように外装ケース１の背面には、光学式ファインダ１２のアイカップ３３が形成される。このアイカップ３３の下側には、液晶表示部３４が隣接して配設され、その下方にはバッテリー３６が装着されている。また、モニタ開閉ボタン３８、電源スイッチ４０、リモコン受光部４２等が外装ケース１の背面に設けられている。更に、外装ケース１の側部には、視度調整つまみ４４、バッテリーイジェクトボタン４６、カセットイジェクトボタン４８が設けられている。
【００１６】
ところで、液晶モニタ１６は、画像再生時のモニタとして機能するとともに、撮影時のファインダとして機能するものである。また、液晶モニタ１６は、撮影レンズ１０の側方の外装ケース１の上面部４９にヒンジ部１５を介して開閉自在に配設され且つ電気的に接続されている。液晶モニタ１６が閉成される外装ケース１の上面部４９は、その側方に配置された撮影レンズ１０の大きさの関係で撮影レンズ部の上面１１Ａに対して高さが低く形成され、液晶モニタ１６の閉成時に液晶モニタ１６を収納する大きさに形成されている（図３参照）。
【００１７】
また、前記上面部４９に液晶モニタ１６を閉成すると、液晶モニタ１６は、液晶モニタ１６の上面１６Ａ（図１参照）が撮影レンズ部の上面１１Ａと面一となり、また、液晶モニタ１６の図２中左側面１６Ｂが外装ケース１の左側面１１Ｂと面一となり、更に、液晶モニタ１６の背面１６Ｃ（図１参照）が外装ケース１の背面１１Ｃと面一になるように形成されている。
【００１８】
従って、本実施例のカメラ一体型ＶＴＲでは、液晶モニタ１６を閉成すると、液晶モニタ１６が外装ケース１から出っ張らず外装ケース１と一体化される。
また、この液晶モニタ１６を開放すると、図４に示すように外装ケース１の上面部４９に設けられている操作パネル部５０が露出し、各種のボタン群が操作可能になる。符号５２は撮影ボタン（ダブル／シングル）切換えスイッチ、５４はネガフイルム（切／入）スイッチ、５６はスポーツモード（切／入）スイッチ、５８はモニタ（切／入）スイッチ、６０は明るさ調節つまみ、６２は音量調節つまみ、６４はスピーカ、６６はカメラモードとＶＴＲモードとを切り換えるモード切換ボタン、６８はＶＴＲモード時等において、再生、停止、早送り、巻戻し等を指令するボタン群である。また、７０は液晶モニタ１６側のロック爪１７が入るロック孔である。
【００１９】
これにより、本実施例のカメラ一体型ＶＴＲでは、操作パネル５０のボタン群は液晶モニタ１６を開放しなければ操作することができないので、外装ケース１から露出する位置にボタン群が設けられている従来のカメラ一体型ＶＴＲと比較して、ボタンの不用意な誤操作を防止することができる。
図５に、撮影レンズ１０、光学式ファインダ（以下、「実像ファインダ」と称する）１２、及びステレオマイク１４の配置図を示す。
【００２０】
前記撮影レンズ１０、実像ファインダ１２、及びステレオマイク１４は外装ケースの横方向に並設されている。実像ファインダ１２は、対物レンズ７２を有し、この対物レンズ７２の後方には、焦点距離の変更を行う図示しない前ズームレンズ及び後ズームレンズが配置される。対物レンズ７２から入射した被写体の像は、前ズームレンズ及び後ズームレンズにより所望の撮影倍率に変更されて図示しない視野枠上で結像され、そして、リフレクタ７４及びプリズム７６によって反射され接眼レンズ７８に導かれる。これらの実像ファインダ１２の光学系は、略Ｌ字形状のファインダ枠８０の内部に配置されている。符号８２はファインダ枠８０の蓋である。また、対物レンズ７２は撮影レンズ１０の近傍に配置され、撮影レンズ１０とのパララックスを小さくしている。
【００２１】
前記ステレオマイク１４は、前記ファインダ枠８０と外装ケースとの間に形成されたスペース８４内に配置され、このスペースを有効利用してステレオマイク専用の配置スペースを削減している。また、図５中二点鎖線で示す矩形状の基板８６は、図４に示した操作パネル部５０のボタン群の基板である。
以上により構成した本発明に係るカメラ一体型ＶＴＲカメラの操作方法について説明する。
【００２２】
先ず、外装ケース１のサイドグリップ部２０を右手で把持して外装ケース１を起立させた姿勢に保持し、そして、電源スイッチ４０を右手の親指で押圧し、カメラ一体型ＶＴＲをＯＮして撮影可能な状態で待機させる。実像ファインダ１２で被写体を覗きながら撮影する場合には、液晶モニタ１６を閉じた状態で保持し、そして、右手の人指し指で撮影ボタン２２を押す。これにより撮影が開始され、また、ズームボタン２４を右手の親指で適宜操作することにより撮影倍率を変更して撮影でき、また、撮影倍率の変更に追随してファインダ倍率が変更されるので、撮影倍率と略等しい倍率で被写体を見ることができる。このような撮影中に、図４に示した操作パネル５０のボタン群は、液晶モニタ１６によって遮蔽されているので、撮影中に於けるボタンの誤操作を防止することができる。
【００２３】
また、この時の液晶モニタ１６は図３に示したように、液晶モニタ１６の上面１６Ａが撮影レンズ部の上面１１Ａと面一となり、また、液晶モニタ１６の図２中左側面１６Ｂが外装ケース１の左側面１１Ｂと面一となり、更に、液晶モニタ１６の背面１６Ｃが外装ケース１の背面１１Ｃと面一になり、外装ケース１から出っ張らなく外装ケース１と一体化されている。これにより、本実施例のカメラ一体型ＶＴＲでは、撮影バランスが良くなるので操作性が向上する。
【００２４】
次に、液晶モニタ１６を見ながら被写体を撮影する場合には、先ず、液晶モニタを外装ケース１の上面部４９からヒンジ１５を利用して起立させ、例えば図２に示した位置に保持する。そして、外装ケース１の上面部４９に露出した操作パネル５０のモニタスイッチ５８をオンする。これにより、液晶モニタ１６には撮影画面が表示されることになり、撮影者はこの画面を見ながらの撮影が可能となる。この時、操作パネル５０のボタン群は液晶モニタ１６の開放により外部に露出するが、これらのボタン群は外装ケース１の上面に配置されてサイドグリップ部２０を把持した右手から遠い位置にあるので、撮影中に於ける誤操作を防止することができる。
【００２５】
撮影が終了し、液晶モニタ１６を前記上面部４９に閉成すると、液晶モニタ１６は図３に示したように、外装ケース１から出っ張らなく外装ケース１と一体化されるので、携帯性が良く保管もし易くなる。
また、ビデオカセットの着脱時には、ＶＴＲデッキ部１８の蓋１６のみを開閉するだけで良いので、ビデオカセットの着脱の都度、液晶モニタを起立させる従来のカメラ一体型ＶＴＲよりも、ビデオカセットを容易に着脱することができる。
【００２６】
更に、本実施例では、外装ケース１の上面４９の位置を撮影レンズ部の上面１１Ａから深い位置に形成すると、撮影レンズ部の方向からの光を撮影レンズ部で遮光する効果を得ることができるので、液晶モニタ１６の位置を遮光された範囲に調整することにより、液晶モニタ１６の画面が見やすくなる。
【００２７】
【発明の効果】
以上説明したように本発明に係るカメラによれば、偏平な略直方体形状の外装ケースの撮影前面にＶＴＲデッキ部を配置して、ビデオカセットを外装ケースの撮影前面から取り出すようにしたので、ビデオカセットの着脱を容易に行うことができ、また、液晶モニタを撮影レンズ部の側方の外装ケースの上面に開閉可能に取り付け、液晶モニタを閉成した際に液晶モニタが、撮影レンズ部の上面、外装ケースの前面、外装ケースの側面、及び外装ケースの背面と面一となるようにして液晶モニタを外装ケースから出っ張らないようにしたので、カメラ一体型ＶＴＲの操作性が向上する。
【図面の簡単な説明】
【図１】本発明の実施例に係るカメラ一体型ＶＴＲを正面からみた斜視図
【図２】図１に示したカメラ一体型ＶＴＲを背面からみた斜視図
【図３】図１に示したカメラ一体型ＶＴＲが液晶モニタを閉じた状態を示す背面図
【図４】操作パネルの平面図
【図５】撮影レンズと実像ファインダとマイクの配置を示す説明図
【符号の説明】
１…外装ケース
１０…撮影レンズ
１２…実像ファインダ
１４…ステレオマイク
１６…液晶モニタ
１８…ＶＴＲデッキ部
５０…操作パネル部
７２…対物レンズ
７８…接眼レンズ
８０…ファインダ枠
【図１】
0003669517.tif 000002
【図２】
0003669517.tif 000003
【図３】
0003669517.tif 000004
【図４】
0003669517.tif 000005
【図５】
0003669517.tif 000006